(57)【要約】【課題】  設置したままでの高さ調節が容易な床束を提供する。【解決手段】  基台１２と受台１６とは、第一の下アーム１３Ａ、第一の連結部材１４Ａおよび第一の上アーム１５Ａと、第二の下アーム１３Ｂ、第二の連結部材１４Ｂおよび第二の上アーム１５Ｂと、によって連結されている。そして、ネジ軸１７が第一の連結部材１４Ａおよび第二の連結部材１４Ｂに挿通されている。ネジ軸１７と第一の連結部材１４Ａとは螺合している。ネジ軸１７と第二の連結部材１４Ｂとは回動可能かつ軸方向の相対移動が規制されている。ネジ軸１７を正逆回転させることにより、第一の連結部材１４Ａと第二の連結部材１４Ｂとを接近・離間させ、基台１２と受台１６の距離、すなわち床束１１の高さを調節することができる。【選択図】      図１
2005179898.tif 000002
【特許請求の範囲】
【請求項１】
基台と、
この基台に下端部が回動可能に連結される第一の下アームおよび第二の下アームと、
受台と、
この受台に上端部が回動可能に連結される第一の上アームおよび第二の上アームと、
前記第一の下アームの上端部と、前記第一の上アームの下端部と、を回動可能に軸支する第一の連結部材と、
前記第二の下アームの上端部と、前記第二の上アームの下端部と、を回動可能に軸支する第二の連結部材と、
前記第一の連結部材に螺合するように挿通されているとともに、前記第二の連結部材に、軸まわりに回動可能かつこの第二の連結部材に対する軸方向の相対移動を規制するように挿通されている一本のネジ軸と、を備えたことを特徴とする床束。
【請求項２】
請求項１に記載の床束を備えた床下収納であって、
前記床束は、前記床下収納の天井部を前記受台で支持し、かつ前記ネジ軸の操作端部が、前記床下収納の中心側となるように配置されていることを特徴とする床下収納。
【請求項３】
前記床束の基台側面および受台側面の少なくとも一方に当接するように、収納ユニットまたは換気ユニットが配置されていることを特徴とする請求項２に記載の床下収納。
【発明の詳細な説明】
【技術分野】
【０００１】
本発明は、建物の床束に関し、特に高さ調節可能な床束に関する。また、この床束を備えた床下収納に関する。
【背景技術】
【０００２】
住宅等、建物の床束として、高さ調節可能な床束が用いられている（例えば、特許文献１参照。）。図８は、特許文献１に記載の床束を示す図であり、（ａ）は正面図、（ｂ）は要部断面図である。床束１０１は、主にネジ棒１０２、高さ調節機構１０３、外筒１０４、蝶ボルト１０５および固定用ナット１０６から構成されている。床束１０１は、地面１２２と大引１２４との間に設けられるものであり、大引１２４（およびその上部構造）を支持し、地面１２２と大引１２４との距離（高さ）を一定に保つ役割を果たしている。
【０００３】
ネジ棒１０２は、台板１１２から立設した棒状の部材である。その周面には雄ネジ部１０２ａが形成されている。その上部には、高さ調節機構１０３および外筒１０４が外嵌されている。台板１１２は、板状の部材であり、地面１２２に載置されている。
【０００４】
外筒１０４は、筒状の部材であり、その下部外側面には、割ナット１０３Ａが回動自在に取り付けられている。その下部内側面には、ネジ棒１０２が内嵌されている。その上部には、受板１１４が取り付けられている。受板１１４は、板状の部材であり、その上方にある大引１２４を支持している。
【０００５】
高さ調節機構１０３は、ネジ棒１０２と外筒１０４とを、任意の高さに調節し固定するための部材である。この高さ調節機構１０３は、主に割ナット１０３Ａ、割ナット押え１０３Ｂおよび止めリング１０３Ｃから構成されている。
【０００６】
割ナット１０３Ａは、その上端部内面の内鍔が、外筒１０４の外周面の環状溝に嵌入結合し、外から止めリング１０３Ｃを嵌め付けて合体保持されている。割ナット１０３Ａの下端部内面の雌ネジ部１０３Ａａは、拡径自在で、その外面を割ナット押え１０３Ｂで押えられたときにネジ棒１０２の雄ネジ部１０２ａとのネジ関係を保持するようになっている。また割ナット１０３Ａの下方部外面は、下に向かって太くなるテーパ面１０３Ａｂになっている。
【０００７】
割ナット押え１０３Ｂは、リング状の部材であり、外面はナット状の六角に成形されている。割ナット押え１０３Ｂは割ナット１０３Ａの外周に取り付けられている。割ナット押え１０３Ｂの内周面は、テーパ面となっており、割ナット１０３Ａのテーパ面１０３Ａｂと当接可能に形成されている。割ナット押え１０３Ｂを下方に移動させると、各テーパ面同士が当接する。すると割ナット押え１０３Ｂが割ナット１０３Ａを押えた状態となる。そしてネジ棒１０２の雄ネジ部１０２ａと割ナット１０３Ａの雌ネジ部１０３Ａａとが螺合し、ネジ棒１０２と外筒１０４とが結合される。また割ナット押え１０３Ｂを上方に移動させると、割ナット１０３Ａに対する押えが解除される。そして各ネジ部１０２ａ，１０３Ａａ間の螺合が解除され、外筒１０４は上下に移動可能となる。
【０００８】
蝶ボルト１０５は、高さ調節後に、ネジ棒１０２と外筒１０４とが互いに回転するのを防ぐための部材である。固定用ナット１０６は、高さ調節後に、ロックナット方式で割ナット１０３Ａの弛み止めを図るための部材である。また、割ナット１０３Ａに対する押えを解除したときに、外筒１０４が下方に落ちるのを防ぐことができる。
【０００９】
かかる床束１０１の高さ調節を行う際には、まず割ナット押え１０３Ｂによる割ナット１０３Ａの押えを解除した状態で、ネジ棒１０２に対し、外筒１０４を上下方向に移動させ、ある程度の高さ調節を行う。その後、割ナット押え１０３Ｂで割ナット１０３Ａを押えることで、ネジ棒１０２の雄ネジ部１０２ａと、割ナット１０３Ａの雌ネジ部１０３Ａａと、を螺合させる。そして、割ナット押え１０３Ｂの外周にスパナ等の工具を結合させて、該工具を床束１０１の周方向（鉛直軸まわり）に回転させる。割ナット押え１０３Ｂと割ナット１０３Ａとはキー結合しているので一体に回転し、ネジ棒１０２の雄ネジ部１０２ａと、割ナット１０３Ａの雌ネジ部１０３Ａａとのネジの螺合関係によって、割ナット１０３Ａは上下方向に移動し、床束１０１の高さ調節を行うことができる。
【特許文献１】特開２００１−１３２２０７号公報（段落０００７〜００１６、図１〜図３）
【発明の開示】
【発明が解決しようとする課題】
【００１０】
しかしながら、特許文献１に記載の床束１０１は、以下に示す問題を有している。
前記した床束１０１は、設置前に高さ調節を行うことが一般的である。しかしながら床束１０１の設置後において、床束１０１の高さを再調節する必要が生じる場合がある。この場合の高さ調節には、以下の二つの方法、およびそれらを組み合わせた方法が考えられる。
（１）  割ナット押え１０３Ｂによる割ナット１０３Ａの押えを解除した状態で、外筒１０４をネジ棒１０２に対し上下に移動させる。
（２）  割ナット押え１０３Ｂで割ナット１０３Ａを押えた状態で、割ナット押え１０３Ｂを正逆回転させ、各ネジ部１０２ａ，１０３Ａａの螺合関係を利用して外筒１０４を上下に移動させる。
【００１１】
しかしながら前記（１）の方法では、床束１０１が大引１２４の荷重を支持しない状態となるため、高さ調節を好適に行うことができない。
また前記（２）の方法では、スパナ等の工具を割ナット押え１０３Ｂの外周面に嵌め込み、該工具を床束１０１の周方向（鉛直軸まわり）に回転させなければならない。よって床束１０１の周りに十分なスペースをとる必要がある。床束１０１の周囲に物がある場合には、この物が回転の障害となり、高さ調節が困難である。
【００１２】
本発明は、前記した問題を解決すべく創案されたものであり、設置したままでの高さ調節が容易な床束を提供することを課題とする。また、この床束を備え、天井部の高さ調節が容易な床下収納を提供することを課題とする。
【課題を解決するための手段】
【００１３】
前記課題を解決するため、請求項１に記載の床束は、基台と、この基台に下端部が回動可能に連結される第一の下アームおよび第二の下アームと、受台と、この受台に上端部が回動可能に連結される第一の上アームおよび第二の上アームと、前記第一の下アームの上端部と、前記第一の上アームの下端部と、を回動可能に軸支する第一の連結部材と、前記第二の下アームの上端部と、前記第二の上アームの下端部と、を回動可能に軸支する第二の連結部材と、前記第一の連結部材に螺合するように挿通されているとともに、前記第二の連結部材に、軸まわりに回動可能かつこの第二の連結部材に対する軸方向の相対移動を規制するように挿通されている一本のネジ軸と、を備える構成とした。
【００１４】
基台と受台とは、第一の下アーム、第一の連結部材および第一の上アームと、第二の下アーム、第二の連結部材および第二の上アームと、によって連結されている。そして、ネジ軸が第一の連結部材および第二の連結部材に挿通されている。ネジ軸を正逆回転させることにより、第一の連結部材と第二の連結部材とを接近・離間させ、基台と受台の距離、すなわち床束の高さを調節することができる。
【００１５】
かかる床束は、ネジ軸の回動によって高さ調節可能である。ネジ軸の回動は、床束の一側方（ネジ軸側）からの操作によって行われる。よって、床束の周囲（操作側以外）に物が置かれた状態でも、高さ調節を行うことができる。
【００１６】
また、請求項２に記載の床下収納は、請求項１に記載の床束を備えた床下収納であって、前記床束は、前記床下収納の天井部を前記受台で支持し、かつ前記ネジ軸の操作端部が、前記床下収納の中心側となるように配置されている構成とした。
【００１７】
ここでいう「床下収納」とは、床下に形成され、その内部に物を収納可能なものであり、床下収納ボックス、床下収納庫、床下収納室等のことである。
【００１８】
かかる構成により、万一床下収納の天井部の高さレベルが低下した場合等であっても、床束によって天井部の高さを調節可能な床下収納を提供することができる。また、かかる床束は、床下収納の中心側からの操作で高さ調節可能であるので、床束の側方のスペースも、有効利用することができる。
【００１９】
また、請求項３に記載の床下収納は、請求項２に記載の床下収納であって、前記床束の基台側面または受台側面の少なくとも一方に当接するように、収納ユニットまたは換気ユニットが配置されている構成とした。
【００２０】
本発明における「収納ユニット」とは、床束の隣に配置される、物を収納可能なユニットである。また、本発明における「換気ユニット」とは、床束の隣に配置され、床下収納の中心側と端部側とを連通するユニットである。かかる構成により、収納ユニットまたは換気ユニットは、床束に当接しているので、床束の転倒を防ぐことができる。また、収納ユニットを配置した場合には、床束の側方を収納スペースとして有効に利用することができる。また収納物を床束にぶつけたりするおそれがなくなる。また、換気ユニットを配置した場合には、床下収納の中心側の換気が可能となる。
【発明の効果】
【００２１】
本発明によれば、設置したままで、側面の一方向からの操作で高さ調節を行うことができる床束を提供することができる。また、天井部の高さの調節が容易で、床束の側方のスペースの有効利用が可能な床下収納を提供することができる。
【発明を実施するための最良の形態】
【００２２】
以下、本発明の実施形態について、適宜図面を参照しながら説明する。同様の部分には同一符号を付し、重複する説明を省略する。位置、方向等の表現は、床束を設置した状態を基準とする。
【００２３】
（床束）
図１は、本発明の実施形態に係る床束を示す斜視図である。図２は、図１の床束を示す概略図であり、（ａ）は側面図、（ｂ）および（ｃ）は部分断面図である。図１に示すように、床束１１は、主に基台１２、第一の下アーム１３Ａ、第二の下アーム１３Ｂ、第一の連結部材１４Ａ、第二の連結部材１４Ｂ、第一の上アーム１５Ａ、第二の上アーム１５Ｂ、受台１６およびネジ軸１７から構成されている。第一の下アーム１３Ａ、第二の下アーム１３Ｂ、第一の上アーム１５Ａ、第二の上アーム１５Ｂは、略菱形形状となるように形成・配置されている。そしてネジ軸１７を操作することによって、この略菱形形状を変化させ、基台１２と受台１６との距離、すなわち床束１１の高さを調節することができるようになっている。
【００２４】
基台１２は、底板部１２ａおよび側板部１２ｂ，１２ｃを有し、水平面（地面、床面等）に載置される部材である。底板部１２ａは、平らな底面を有しており、水平面に載置可能となっている。側板部１２ｂ，１２ｃは、底板部１２ａの上方に対向するように立設しており、それらの内側には、ピン２１Ａによって第一の下アーム１３Ａが、ピン２１Ｂによって第二の下アーム１３Ｂが、それぞれ回動可能に連結されている。
【００２５】
第一の下アーム１３Ａは、下端部１３Ａａおよび上端部１３Ａｂを有する断面コ字状の部材である。下端部１３Ａａは、ピン２１Ａによって、基台１２の側板部１２ｂ，１２ｃに対して回動可能に連結されている。上端部１３Ａｂは、第一の連結部材１４Ａによって、第一の上アーム１５Ａの下端部１５Ａａと互いに回動可能に連結されている。
【００２６】
第一の連結部材１４Ａは、第一の下アーム１３Ａの上端部１３Ａｂと、第一の上アーム１５Ａの下端部１５Ａａと、を回動可能に軸支する部材である。そして第一の連結部材１４Ａは、雌ネジ部１４Ａａ（図２（ｂ）参照）を有しており、雌ネジ部１４Ａａがネジ軸１７の雄ネジ部１７ａと螺合している。
【００２７】
第一の上アーム１５Ａは、下端部１５Ａａおよび上端部１５Ａｂを有する断面コ字状の部材である。下端部１５Ａａは、第一の連結部材１４Ａによって、第一の下アーム１３Ａの上端部１３Ａｂと回動可能に連結されている。上端部１５Ａｂは、ピン２２Ａによって、受台１６の側板部１６ｂ，１６ｂに対して回動可能に連結されている。
【００２８】
第二の下アーム１３Ｂは、下端部１３Ｂａおよび上端部１３Ｂｂを有する断面コ字状の部材である。下端部１３Ｂａは、ピン２１Ｂによって、基台１２の側板部１２ｂ，１２ｂに対して回動可能に連結されている。上端部１３Ｂｂは、第二の連結部材１４Ｂによって、第二の上アーム１５Ｂの下端部１５Ｂａと互いに回動可能に連結されている。
【００２９】
第二の連結部材１４Ｂは、第二の下アーム１３Ｂの上端部１３Ｂｂと、第二の上アーム１５Ｂの下端部１５Ｂａと、を回動可能に軸支する部材である。そして、第二の連結部材１４Ｂは、孔部１４Ｂａ（図２（ｃ）参照）を有しており、孔部１４Ｂａにネジ軸１７が軸まわりに回動可能に挿通されている。
【００３０】
第二の上アーム１５Ｂは、下端部１５Ｂａおよび上端部１５Ｂｂを有する断面コ字状の部材である。下端部１５Ｂａは、第二の連結部材１４Ｂによって、第二の下アーム１３Ｂの上端部１３Ｂｂと互いに回動可能に連結されている。上端部１５Ｂｂは、ピン２２Ｂによって、受台１６の側板部１６ｂ，１６ｂに対して回動可能に連結されている。
【００３１】
受台１６は、上板部１６ａおよび側板部１６ｂ，１６ｃを有し、床束１の上部構造（大引等）を支持するための部材である。上板部１６ａは、平らな上面を有しており、大引等を載置可能となっている。側板部１６ｂ，１６ｃは、上板部１６ａの下方に対向するように立設しており、それらの内側には、ピン２２Ａによって第一の上アーム１５Ａが、ピン２２Ｂによって第二の上アーム１５Ｂが、それぞれ回動可能に連結されている。
【００３２】
側板部１２ｂ，１６ｂの外側面は、同一鉛直面上となるように形成されている。同様に、側板部１２ｃ，１６ｃの外側面は、同一鉛直面上となるように形成されている。このようにすることで、後述する収納ユニット７１や換気ユニット８１によって、床束１１を側方から支え、床束１１の転倒を防ぐことができる（図４〜７参照）。
【００３３】
さらに、各ピン２１Ａ，２１Ｂ，２２Ａ，２２Ｂは、各側板部１２ｂ，１２ｃ，１６ｂ，１６ｃの外側面から凹むように設けられている。このようにすることで、収納ユニット７１が床束１１の高さ調節の支障とならない。
【００３４】
ネジ軸１７は、第一の連結部材１４Ａおよび第二の連結部材１４Ｂに挿通される部材であり、雄ネジ部１７ａ、大径部１７ｂおよび操作端部１７ｃを有している。雄ネジ部１７ａは、ネジ軸１７の外周に所定の長さにわたって形成されており、第一の連結部材１４Ａの雌ネジ部１４Ａａと螺合している。大径部１７ｂは、第二の連結部材１４Ｂの外側端面と当接している。操作端部１７ｃは、ネジ軸１７の第二の連結部材１７Ｂ側端部であり、その端面には、軸方向に六角穴が形成されている。この六角穴に六角レンチを差し込み、ネジ軸１７を正逆回転させることができるようになっている。
【００３５】
第二の連結部材１４Ｂの外側端面と、ネジ軸１７の大径部１７ｂとは当接している。そして、第二の連結部材１４Ｂは、第二の下アーム１３Ｂおよび第二の上アーム１５Ｂによって、拡がる方向（図２における右向き）に押圧されている。一方で、第一の連結部材１４Ａの雌ネジ部１４ａとネジ軸１７の雄ネジ部１７ａとは螺合しているので、そのままの状態では、第二の連結部材１４Ｂはそれ以上拡がらないようになっている。よって、第二の連結部材１４Ｂは、ネジ軸１７を回動可能かつ第二の連結部材１４Ｂに対する軸方向の相対移動を規制した状態で挿通されていることになっている。
【００３６】
続いて、床束１１の高さ調節について、図３を参照して説明する（適宜図１，２参照）。まず、床束１１を高くする動作（図３（ｂ）→図３（ａ））について説明する。ネジ軸１７を正回転（軸線視右回り、図中Ｒ方向）させると、ネジ軸１７の雄ネジ部１７ａが第一の連結部材１４Ａの雌ネジ部１４Ａａに対して進行し、第一の連結部材１４Ａと第二の連結部材１４Ｂとの距離が接近する。すると各アーム１３Ａ，１３Ｂ，１５Ａ，１５Ｂからなる略菱形形状が変化し、受台１６が上方に移動する。
【００３７】
続いて、床束１１を低くする動作（図３（ａ）→図３（ｂ））について説明する。ネジ軸１６を逆回転（軸線視左回り、図中Ｌ方向）させると、ネジ軸１７の雄ネジ部１７ａが第一の連結部材１４Ａの雌ネジ部１４Ａａに対して後退し、第一の連結部材１４Ａと第二の連結部材１４Ｂとの距離が離間する。すると各アーム１３Ａ，１３Ｂ，１５Ａ，１５Ｂからなる略菱形形状が変化し、受台１６が下方に移動する。
【００３８】
かかる床束１１は、受台１６で上部構造の荷重を受けた状態で高さ調節を行うものである。そのためには、受台１６の移動方向は、水平方向成分を含まず、鉛直方向成分のみであることが望ましい。各アーム１３Ａ，１３Ｂ，１５Ａ，１５Ｂのアーム長さを同一とし、ピン２１Ａ，２１Ｂを同一高さ、ピン２２Ａ，２２Ｂを同一高さ、かつピン２１Ａ，２１Ｂ間とピン２２Ａ，２２Ｂ間とを同一長さ、とすることによって、かかる移動を実現することができる。ここでいう「アーム長さ」は、アームの両端の回動軸間の長さのことである。また、各下アーム１３Ａ，１３Ｂのアーム長さが同一であり、かつ各上アーム１５Ａ，１５Ｂのアーム長さが同一である構成であってもよい。
【００３９】
（床下収納）
続いて、床束１１を備えた床下収納について説明する（適宜図１〜図３参照）。図４は、本発明の実施形態に係る床下収納を示す概略断面図である。床下収納５１は、住宅の一階の床下から地下にかけて形成されており、地盤強化体Ａと、地盤強化体Ａの上方に形成された基礎Ｂと、に囲まれている。地盤強化体Ａと基礎Ｂとの間には、地下水が浸入するのを防ぐための止水板Ｇが設けられている。
【００４０】
ここでいう「地盤強化体」は、地盤の強度が高められたものであり、例えば「地盤改良体」や「ラップルコンクリート」のことである。このうち「地盤改良体」は、地盤改良（置換、固結、補強等）によって強度が高められた地盤のことである。また「ラップルコンクリート」は、粗石コンクリートとも呼ばれており、骨材として通常よりも大きい（例えば、径１５０ｍｍ程度）玉石や砕石を含んだコンクリートであり、ここでは地盤を掘削除去した場所に形成されるものである。基礎の下方に、地盤強化体を設けることにより、住宅の荷重は、基礎から地盤強化体を介し、その下の地盤に伝えられる。地盤強化体は、住宅の荷重を受けるのに十分な強度を有しているものであり、その水平断面形状は、上方の基礎のフーチングと同一形状またはそれよりも大きく形成されていることが望ましい。
【００４１】
床下収納５１は、主にピット５２、第一の床面５３、第一の壁面５４、第二の床面５５、第二の壁面５６および天井（一階の床）５７から構成されている。また、床束１１、収納ユニット７１および換気ユニット８１が第二の床面５５上に設置されている。
【００４２】
ピット５２は、排水機能を担うものであり、床下収納空間５１の下部中央に設けられている。ピット５２の上部には、蓋５２ａが着脱可能に設置されている。この蓋５２ａは、第一の床面５３と連続面を形成している。
【００４３】
第一の床面５３は、地盤を掘削することにより形成された水平掘削面に化粧を施したものである。
【００４４】
第一の壁面５４は、第一の床面５３を囲むように立設した壁であり、地盤強化体Ａの側面に化粧を施したものである。
【００４５】
第二の床面５５は、第一の壁面５４を囲む床であり、第一の壁面５４の上端から基礎Ｂのフーチングにかけて、連続した水平面となるように化粧を施したものである。
【００４６】
第二の壁面５６は、基礎Ｂの床下収納５１側となる側面に化粧を施したものである。
【００４７】
これら各床面５３，５５、各壁面５４，５６の化粧は、例えば、モルタル、吹付けコンクリート、化粧板等によるものである。各図面においては、化粧を厚めに記載しているが、実際はもっと薄くすることができる。
【００４８】
天井（一階の床）５７は、基礎Ｂの上に架けられた土台Ｃ、基礎Ｂ間に所定間隔で平行に架けられた大引Ｄ、そして大引Ｄに直交するように架けられた根太Ｅによって支持されている。天井５７には、開閉可能な出入口５７ａが形成されている。利用者は、ここから梯子５８を使って床下収納５１内に降りることができる。そして、物を床下収納５１内に収納したり、一階に持ち出したりすることができるようになっている。
【００４９】
床下収納５１の第一の床面５３から天井５７までの高さは、１４００ｍｍ以下であることが望ましい。このようにすることで、床下収納５１の床面積が住宅の床面積に算入されなくて済む。ピット５２の深さは、利用者がピット５２に降りたときに、天井５７や大引Ｄ等に頭がぶつからない程度の深さに形成されることが望ましい。なお、ピット５２を形成しない構成も可能である。
【００５０】
床束１１は、床下収納５１の第二の床面５５上に複数設置されている。そして、受台１６の上板部１６ａ（図１参照）によって、板材Ｆを介して上部の大引Ｄを支持している。板材Ｆを介さずに、受台１６が直接大引Ｄを支持する場合には、長期の荷重負荷によって大引Ｄの上板部１６ａとの当接部位が変形するおそれがある。板材Ｆを介することで、大引Ｄの変形を抑えることができる。これら天井５７、根太Ｅ、大引Ｄおよび板材Ｆが、特許請求の範囲における「天井部」に相当する。なお「天井部（天井５７、根太Ｅ、大引Ｄおよび板材Ｆ）」は図示したものに限定されず、ツーバイフォー工法の床の骨組み等であってもよい。
【００５１】
そして、複数の床束１１は、床下収納５１の中心を平面視四角形状となるように取り囲み、ネジ軸１７の操作端部１７ｃ（図１参照）が床下収納５１の中心側となるように配置されている。そして、隣りあう床束１１間に、収納ユニット７１や換気ユニット８１が配置されている。本実施形態では、換気ユニットを一つ配置し、その他は収納ユニット７１を配置する構成としたが、これらの数、配置場所は適宜変更可能である。
【００５２】
ここで、収納ユニットについて説明する。図５は、図４の床下収納に配置される収納ユニットを説明する図であり、図４の部分拡大斜視図である。収納ユニット７１は、底板部７１ａ、左側板部７１ｂ、上板部７１ｃ、右側板部７１ｄおよび奥板部７１ｅからなり、開口部７１ｆが形成された箱状のユニットである。収納ユニット７１の各側板部７１ｂ，７１ｄは、床束１１の基台１２の側板部１２ｂ，１２ｃ、受台１６の側板部１６ｂ，１６ｃと当接し、開口部７１ｆが床下収納５１の中心側となるように配置されている（図１参照）。図７（ｂ）の左側の収納ユニット７１を参照して更に詳しく説明すると、左側板部７１ｂは、床束１１Ａの基台１２の側板部１２ｃおよび受台１６の側板部１６ｃと当接している。また、右側板部７１ｄは、床束１１Ｂの基台１２の側板部１２ｂおよび受台１６の側板部１６ｂと当接している。見方を変えると、床束１１Ｂは、左右の収納ユニット７１，７１によって挟み込まれているともいえる。なお、図７における床束１１Ａ，１１Ｂ，１１Ｃは、図１の床束１１と同一のものである。このように、収納ユニット７１が床束１１の基台１２および受台１６の各側板部と当接することで、床束１１の転倒を防いでいる。また、床束１１の各ピン２１Ａ，２１Ｂ，２２Ａ，２２Ｂ（図１参照）は、各側面に対して凹むように設けられているので、収納ユニット７１が当接した状態であっても床束１１の高さ調節に支障がない。
【００５３】
これら床束１１、収納ユニット７１および換気ユニット８１は、図４に示すように、床下収納５１の中心を取り囲むよう（本実施形態では平面視四角形状）に配置されている。そして床束１１は、ネジ軸１７の操作端部１７ｃが床下収納５１の中心側となるように配置されている。同様に、収納ユニット７１は、開口部７１ｆが床下収納５１の中心側となるように配置されている。利用者は床下収納５１の第一の床面５３に降り立ち、物を収納ユニット７１内に収納することができる。その際、物が床束１１に接触するおそれがないので、床束１１を転倒させたりすることを防ぐことができる。
【００５４】
続いて、換気ユニットについて説明する。図６は、図４の床下収納に配置される換気ユニットを説明するための図であり、（ａ）は換気ユニットを示す斜視図、（ｂ）は図４の部分拡大図である。図６（ａ）に示すように換気ユニット８１は、底板部８１ａ、左側板部８１ｂ、上板部８１ｃ、右側板部８１ｄからなり、正面側と後面側が開口している筒状のユニットである。左側板部８１ｂは、換気ユニット８１の左側に配置された床束１１の基台１２の側板部１２ｃおよび受台１６の側板部１６ｃと当接している。右側板部８１ｄは、換気ユニット８１の右側に配置された床束１１の基台１２の側板部１２ｂおよび受台１６の側板部１６ｂと当接している。このように換気ユニット８１は、収納ユニット７１と同様、床束１１の転倒を防いでいる。また、床束１１の各ピン２１Ａ，２１Ｂ，２２Ａ，２２Ｂ（図１参照）は、各側面に対して凹むように設けられているので、換気ユニット８１が当接した状態であっても床束１１の高さ調節に支障がない。また、換気ユニット８１を通じて、床下収納５１の中心側と端部側（基礎Ｂ側）とが連通しており、さらに端部側は床下収納５１外部と連通しているので、床下収納５１の中心側の換気を行うことができる（図６（ｂ）参照）。
【００５５】
このように、床束１１は収納ユニット７１や換気ユニット８１によって側方から支えられているので、床束１１が転倒するおそれがない。したがって、床束１１の、ネジ軸１７と直交する横方向の薄型化が可能となる。また、薄型化することによって、その側方のスペースが大きくなり、収納に好適となる。
【００５６】
また、床下収納５１は、地盤強化体Ａの下端辺から地盤のせん断抵抗角で下方に延びる面の上方に位置するように形成されている。このようにすることで、床下収納５１のピット５２や各床面５３，５５、各壁面５４，５６が住宅の荷重によってせん断破壊を生じるおそれがなく、化粧を施すだけで使用可能となっている。
【００５７】
続いて、床下収納の天井部のレベル調節について、天井（一階の床）５７の一部の床レベルが低下している場合を例にとって説明する。図７は、図４の床下収納における、床束を用いた高さ調節の例を示す図であり、（ａ）は調節前の図、（ｂ）は調節後の図である。
【００５８】
一階の床５７上に、重量物を長期間置いた場合等には、その部分の床レベルが低下する場合がある。図７（ａ）において、床束１１Ａ，１１Ｂ，１１Ｃが配置された部分において、床束１１Ｂが支える部分の床レベルが低下している。このような場合には、床束１１Ｂの高さ調節を行うことで、一階の床５７の床レベルを水平に修正することができる（図７（ｂ）参照）。
【００５９】
床束１１Ｂの高さ調節は、そのネジ軸１７（図１参照）を正逆回転させることによって行われる。したがって、その側方に収納ユニット７１等を置いたままで、高さ調節を行うことができる。かかる高さ調節は、重量物の設置によって一階の床５７の床レベルが低下した場合だけでなく、局所的な地盤沈下によって、床束１１Ｂの設置場所レベルが低下した場合にも行うことができる。
【００６０】
なお、本発明は、前記した実施形態に限定されず、本発明の要旨を逸脱しない範囲で適宜設計変更可能である。床束１１は、天井５７を支持可能な強度を有していればよく、例えばステンレス等の金属製とすることができる。床束１１の各寸法も適宜設計変更可能である。各アーム１３Ａ，１３Ｂ，１５Ａ，１５Ｂや各連結部材１４Ａ，１４Ｂの形状は図示したものに限定されない。
【００６１】
また、ネジ軸１７の操作端部１７ｃは、六角穴を有し、六角レンチで正逆回転可能な構成としたが、操作端部１７ｃの形状は、ネジ軸１７を正逆回転可能であればよい。例えば、操作端部１７ｃの外周を六角形状とし、スパナによって操作可能な構成であってもよい。
【００６２】
また、ネジ軸１７の第二の連結部材１４Ｂ側に操作端部１７ｃを形成する構成としたが、第一の連結部材１４Ａ側であってもよく、ネジ軸１７の両端部に操作端部が形成されている構成であってもよい。この場合には、二つの操作端部のうちの一方が床下収納５１の中心側となるように配置すればよい。
【００６３】
本実施形態では、住宅の一階の床下から地下にかけて形成された床下収納５１に床束１１および収納ユニット７１を設置した場合について説明したが、床下収納の構成は前記したものに限定されない。例えば、床束１１は板材Ｆ、大引Ｄ、根太Ｅを介して天井（一階の床）５７を支持する構成としたが、大引Ｄや根太Ｅの形状や組み方は図示したものに限定されない。また、一階の床下ではなく、建物の各階間（一階と二階の間等）に形成される床下収納に床束１１を設置する構成であってもよい。また、床束１１の設置場所は床下収納に限定されず、通常の床下、つまり住宅の一階の床と地面との間であってもよい。
【００６４】
また、収納ユニット７１は図示したものに限定されず、例えば棚や扉等を有する構成であってもよい。さらに換気ユニット８１も図示したものに限定されず、例えば換気扇を備えている構成であってもよい。
【図面の簡単な説明】
【００６５】
【図１】本発明の実施形態に係る床束を示す斜視図である。
【図２】図１の床束を示す概略図であり、（ａ）は側面図、（ｂ）および（ｃ）は部分断面図である。
【図３】図１の床束の高さ調節を示す概略図である。
【図４】本発明の実施形態に係る床下収納を示す概略断面図である。
【図５】図４の床下収納に配置される収納ユニットを説明する図であり、図４の部分拡大斜視図である。
【図６】図４の床下収納に配置される換気ユニットを説明する図であり、（ａ）は換気ユニットを示す斜視図、（ｂ）は図４の部分拡大図である。
【図７】図４の床下収納における、床束を用いた高さ調節の例を示す図であり、（ａ）は調節前の図、（ｂ）は調節後の図である。
【図８】特許文献１に記載の床束を示す図であり、（ａ）は正面図、（ｂ）は要部断面図である。
【符号の説明】
【００６６】
１１，１１Ａ，１１Ｂ，１１Ｃ  床束
１２    基台
１３Ａ  第一の下アーム
１３Ｂ  第二の下アーム
１４Ａ  第一の連結部材
１４Ｂ  第二の連結部材
１５Ａ  第一の上アーム
１５Ｂ  第二の上アーム
１６    受台
１７    ネジ軸
１７ｃ  操作端部
５１    床下収納
５７    天井（一階の床）
７１    収納ユニット
８１    換気ユニット
【図１】
2005179898.tif 000003
【図２】
2005179898.tif 000004
【図３】
2005179898.tif 000005
【図４】
2005179898.tif 000006
【図５】
2005179898.tif 000007
【図６】
2005179898.tif 000008
【図７】
2005179898.tif 000009
【図８】
2005179898.tif 000010